(57)【特許請求の範囲】
【請求項１】
エアゾル容器の、容器１の上端に取り付けるエアゾルキャップにおいて、
エアゾルキャップ２は、容器１の上端に突き出しているバルブステム６に挿嵌されている操作部３と、容器１の上部のマウント５に嵌合されたカバー部４とからなり、
操作部３は噴口部３７側に形成されているトリガー部３４と、その反対側の取付板３２の先端に形成されている取付杆３３と、操作部３の液通路３６を挟んで前記トリガー部３４とは反対側に前記墳口部３７の上部を覆うように設けられた誤操作防止用バージンシール７と、を有し、
上記取付杆３３は、前記容器１の上部のマウント５と嵌合する前記カバー部４の嵌合部位より外側に設けられた支持リブ４１の下端の保持切欠４２内に保持され、
前記操作部３は、前記誤操作防止用バージンシール７と前記カバー部４の一部分とが係合しているときに、前記バルブステム６の斜め後方に保持され、前記誤操作防止用バージンシール７と前記カバー部４との係合が解除されたときに、前記バルブステム６が前記操作部３の挿嵌部３５に嵌合されることを特徴とするエアゾルキャップ。
【請求項２】
前記カバー部４に前記操作部３が装着された状態で、該カバー部４は、前記誤操作防止用バージンシール７、前記トリガー部３４、噴口部３７以外の部分を覆うように構成されたことを特徴とする請求項１に記載のエアゾルキャップ。
【発明の詳細な説明】
【０００１】
【発明の属する技術分野】
この発明はエアゾル容器に用いるトリガー式のエアゾルキャップに関する。
【０００２】
【従来の技術】
エアゾルキャップを介してエアゾル容器のバルブステムを押し下げるために、エアゾルキャップに銃の引き金に類似したトリガー部をキャップに形成したトリガー式のエアゾルキャップは従来から使用されている。
その一例を図１５に示すと、キャップ部２は操作部３とカバー部４とから形成されていて、操作部の前方にはトリガー部３４が一体に設けられている。図で一点鎖線はトリガーを引いて操作部３を傾けた場合の状態を示している。又３５はバルブステムへの挿嵌部、３６は液の通路、３７は噴口部である。
カバー部４は頂壁４３、後壁４４を有し、その下端部４５において容器１の上端に取り付けられている。そして操作部３はカバー部４と、カバー部４の後壁４４との間でヒンジ４６で揺動可能に結合されている。
さらに又図１５に図示の例のほかに、操作部３の本体とトリガー部３４とを別体にしたものも発明されている。
【０００３】
【発明が解決しようとする課題】
従来のものは、操作部とカバー部とがヒンジで結合されているので、強度的に問題があり製作にも技術を要する。又トリガー部を別体とすれば、部品点数が多くなり、製作に手間もコストもかかるという不具合を免れない。
【０００４】
【課題を解決するための手段】
この発明は、前記の欠点を解消するために、エアゾルキャップは、容器の上端に突き出しているバルブステムに挿嵌されている操作部と、容器の上部のマウントに嵌合されたカバー部とからなり、操作部は噴口部側に形成されているトリガー部と、その反対側の取付板３２の先端に形成されている取付杆３３と、操作部３の液通路３６を挟んで前記トリガー部３４とは反対側に前記墳口部３７の上部を覆うように設けられた誤操作防止用バージンシール７と、を有し、
上記取付杆３３は、前記容器１の上部のマウント５と嵌合する前記カバー部４の嵌合部位より外側に設けられた支持リブ４１の下端の保持切欠４２内に保持され、
前記操作部３は、前記誤操作防止用バージンシール７と前記カバー部４の一部分とが係合しているときに、前記バルブステム６の斜め後方に保持され、前記誤操作防止用バージンシール７と前記カバー部４との係合が解除されたときに、前記バルブステム６が前記操作部３の挿嵌部３５に嵌合されることを特徴とするエアゾルキャップを得たものである。
また、前記カバー部に前記操作部が装着された状態で、該カバー部は、前記バージンシール、前記トリガー部、噴口部以外の部分を覆うように構成されている。
【０００５】
【実施例】
図１はこの発明のエアゾル容器１０の外観図であって、１は容器、２はキャップ部を示し、キャップ部２は容器１の上端のマウント５に取り付けられたカバー部４と、カバー部４の内部にあって、エアゾル容器の上端に突き出したバルブステム６に挿嵌されている操作部３とから構成されている。図１では操作部３の本体３１とトリガー部３４とがカバー部４から外方に出ているところが示されている。なお７は使用前に操作部が不注意で動かされることを防ぐバージンシールを表わしている。
【０００６】
図２〜図４は、操作部３とカバー部４の関係を示す断面図であって、同じ符号は同じ部分を表わしている。
図において３は操作部、３４は一体に形成されたトリガー部、３５は容器１の上端に突き出したバルブステム６を挿嵌する挿嵌部、３６は液通路、３８は噴霧オリフィス、４は容器１の上部のマウント５に取り付けたカバー部、４１はカバー部後端の保持リブ、４２は保持切欠であって、操作部３の後端を保持している。（詳細な構成は図５以下で説明する。）
【０００７】
図２は使用前の運搬中に誤って操作部３を動かさないようにバージンシール７が取り付けられている状態を示している。図３は使用にあたってバージンシール７を除いたところを示し、図４は使用中の状態であってトリガー部３４を引いて操作部３を前方に傾けバルブステム６を傾けることにより、容器１内の液を噴射しているところを示している。図５は操作部３を取り出して示した側面図、図６は図５をＡ方向からみた平面図、図７は同じくＢ方向からみた下面図、図８はＣ方向からみた正面図、図９は図８のＸ−Ｘ線に沿う断面図であって、操作部３は本体３１、取付板３２、取付板３２の先端に形成された取付杆３３、トリガー部３４からなっている。取付杆３３は図２〜図４に示すカバー部４の後端の支持リブ４１の下端の保持切欠４２内に保持され、操作部３の揺動の支点となっている。又３５はバルブステムの挿嵌部、３６は液通路であり、さらに３７は前述の噴霧オリフィス３８が設けられる噴口部を示している。７はバージンシールを表わしている。
図２及び図１４に示されているように、操作部３には、液通路３６を挟んでトリガー部３４とは反対側にバージンシール７が設けられており、該バージンシール７はカバー部４の一部分に係合している。そして、カバー部４に操作部３が装着された状態で、該カバー部４は、バージンシール７、トリガー部３４、噴口部３７以外の部分を覆うように構成されている。
【０００８】
図１０はキャップ部２を取り出して示した側面図、図１１は図１０をＤ方向からみた下面図、図１２は同じくＥ方向からみた正面図、図１３はＦ方向からみた平面図、図１４は図１２のＹ−Ｙ線に沿う断面図であって、図２に対応するバージンシール７をつけた使用前の状態で示してある。図１に以下の図と同じ符号は同じ部分を表わしている。図１１に示されるように、操作部３の取付板３２の先端の取付杆３３はカバー部４の後端の支持リブ４１の下端の保持切欠４２内に保持され、トリガー部３４を引いてバルブステム６を押し下げるときの揺動の支点となる。トリガー部３４から指をはなすと、バルブステムを復原させるバネの力により操作部３は図４の状態から図３の状態に戻る。
【０００９】
【発明の効果】
この発明のエアゾルキャップは、前記の如き構成であって、操作部と一体のトリガー部を有しているので、部品点数が少なく、又トリガー式であるから、使用時に手などに液が付着することが防止できる。
また操作部の後端の取付杆をカバー部の支持リブの下端の保持切欠に保持させているので、構造が強固であって、外れたり、破損の惧がなく組立、解体も容易である。
【図面の簡単な説明】
【図１】エアゾル容器の外観図
【図２】バージンシールをつけた状態を示す図
【図３】使用前の状態を示す図
【図４】使用中の状態を示す図
【図５】操作部の側面図
【図６】同じく平面図
【図７】同じく下面図
【図８】同じく正面図
【図９】図８のＸ−Ｘ断面図
【図１０】キャップ部の側面図
【図１１】同じく下面図
【図１２】同じく正面図
【図１３】同じく平面図
【図１４】図１２のＹ−Ｙ断面図
【図１５】従来のトリガー式エアゾルキャップの一例の断面図
【符号の説明】
１０    エアゾル容器
１    容器
２    キャップ部
３    操作部
４    カバー部
５    マウント
６    バルブステム
７    バージンシール
３１    操作部本体
３２    取付板
３３    取付杆
３４    トリガー部
３５    バルブステム挿嵌部
３６    液通路
３７    噴口部
３８    噴霧オリフィス
４１    支持リブ
４２    保持切欠
４３    カバー部頂壁
４４    カバー部後壁
４５    カバー部下端
４６    ヒンジ
【図１】
0003746827.tif 000002
【図２】
0003746827.tif 000003
【図３】
0003746827.tif 000004
【図４】
0003746827.tif 000005
【図５】
0003746827.tif 000006
【図６】
0003746827.tif 000007
【図７】
0003746827.tif 000008
【図８】
0003746827.tif 000009
【図９】
0003746827.tif 000010
【図１０】
0003746827.tif 000011
【図１１】
0003746827.tif 000012
【図１２】
0003746827.tif 000013
【図１３】
0003746827.tif 000014
【図１４】
0003746827.tif 000015
【図１５】
0003746827.tif 000016